(57)【要約】 【課題】  コンクリート基材が床梁上面から浮いた状態で設置されるスラブパネルを、床梁に確実に安定して固定することができる固定金具を提供する。【解決手段】  この固定金具(40)は、床梁(30)に取り付けられて、スラブパネル(１)のコンクリート基材(２)下面を受ける基材受け部(41)と、この基材受け部(41)から上方へ向けて突出したボルト部(42)と、ボルト部(42)に螺合してコンクリート基材(２)上面を押さえ付ける押付部(43)とを備えている。【選択図】  図１０
2006124994.tif 000002
【特許請求の範囲】
【請求項１】
基材が床梁上面から浮いた状態で設置されるスラブパネルを、床梁へ固定するための固定金具であって、前記床梁に取り付けられて、前記スラブパネルの基材下面を受ける基材受け部と、この基材受け部から上方へ向けて突出したボルト部と、前記ボルト部に螺合して前記基材上面を押さえ付ける押付部とを備えたことを特徴とするスラブパネルの固定金具。
【請求項２】
前記基材受け部の基材下面を受ける受け面に、緩衝材を設けた請求項１記載のスラブパネルの固定金具。
【請求項３】
前記基材受け部は、Ｈ形鋼からなる床梁の上側フランジに引っ掛けるフックを一体又は別体に備えている請求項１又は２記載のスラブパネルの固定金具。
【請求項４】
前記押付部は、前記ボルト部を挿通させた状態で基材上面に当接する当接プレートと、前記ボルト部に螺合して前記当接プレートを押し込むナットからなる請求項１乃至３のいずれかに記載のスラブパネルの固定金具。
【請求項５】
前記当接プレートは、隣接するスラブパネルの基材上面間に跨ってそれら基材上面に当接する請求項４記載のスラブパネルの固定金具。
【請求項６】
スラブパネルを固定金具を介して床梁へ固定するための固定構造であって、前記スラブパネルは、基材下面に床根太を一体的に取り付けてなり、その床根太を梁上面に設置することによって生じる基材下面と床梁上面との間の隙間に、梁に取り付けた前記固定金具の基材受け部を介装して、この基材受け部によって前記基材下面を受けるとともに、前記基材受け部から上方へ向けて突出したボルト部に押付部を螺合して、その押付部によって基材上面を押さえ付けるようにしたことを特徴とするスラブパネルの固定構造。
【発明の詳細な説明】
【技術分野】
【０００１】
この発明は、例えば建物上層階の床を構成するスラブパネルを床梁へ固定するための固定金具及び固定構造に関する。
【背景技術】
【０００２】
従来、ＡＬＣ等の床板をＨ形鋼からなる床梁に固定する固定金具としては、例えば特許文献１や特許文献２に開示されたものがある。
【０００３】
この種の固定金具は、床梁の上側フランジに引っ掛けるフックと、このフックから立ち上がったボルトと、このボルトを挿通する挿通孔を有するプレートと、ボルトに螺合するナットを備えている。
【０００４】
そして、フックを床梁の上側フランジに引っ掛けた状態で、ボルトに螺合したナットを締め付けて、プレートを床梁上に設置したスラブパネルの端部上面に押し付けることで、スラブパネルを床梁に固定するようになっている。
【０００５】
【特許文献１】特開平９−１４４１９２号公報
【特許文献２】特開２００１−２０４２６号公報
【発明の開示】
【発明が解決しようとする課題】
【０００６】
しかしながら、基材下面に床根太を一体的に取り付けてなるスラブパネルを床梁に固定する場合、上記のような固定金具を用いると、以下のような不具合が生じていた。
【０００７】
すなわち、図１５に示すように、このような床根太一体型のスラブパネル(80)を床梁(81)上に設置した場合、床根太(82)の高さ分だけ基材(83)が床梁(81)の上面から浮いた状態となるために、ナット(90)を締め付けてプレート(91)を基材(83)の上面に押し付けると、ナット(90)の締め付け力によってボルト(92)が引っ張り上げられて、床梁(81)の上側フランジ(84)に引っ掛けているフック(93)が変形して開いてしまうことがあった。このため、スラブパネル(80)の固定が不安定となって、スラブパネル(80)にがたつき等が生じることがあった。
【０００８】
そこで、この発明は、上記の不具合を解消して、基材が床梁上面から浮いた状態で設置されるスラブパネルを、床梁に確実に安定して固定することができる固定金具及び固定構造の提供を目的とする。
【課題を解決するための手段】
【０００９】
上記の課題を解決するため、この発明の固定金具は、基材が床梁上面から浮いた状態で設置されるスラブパネルを、床梁へ固定するためのものであって、前記床梁に取り付けられて、前記スラブパネルの基材下面を受ける基材受け部と、この基材受け部から上方へ向けて突出したボルト部と、前記ボルト部に螺合して前記基材上面を押さえ付ける押付部とを備えたことを特徴とする。
【００１０】
そして、前記基材受け部の基材下面を受ける受け面に、緩衝材を設けている。また、前記基材受け部は、Ｈ形鋼からなる床梁の上側フランジに引っ掛けるフックを一体又は別体に備えている。
【００１１】
さらに、前記押付部は、前記ボルト部を挿通させた状態で基材上面に当接する当接プレートと、前記ボルト部に螺合して前記当接プレートを押し込むナットからなる。また、前記当接プレートは、隣接するスラブパネルの基材上面間に跨ってそれら基材上面に当接するようになっている。
【００１２】
この発明の固定構造は、スラブパネルを固定金具を介して床梁へ固定するための固定構造であって、前記スラブパネルは、基材下面に床根太を一体的に取り付けてなり、その床根太を梁上面に設置することによって生じる基材下面と床梁上面との間の隙間に、梁に取り付けた前記固定金具の基材受け部を介装して、この基材受け部によって前記基材下面を受けるとともに、前記基材受け部から上方へ向けて突出したボルト部に押付部を螺合して、その押付部によって基材上面を押さえ付けるようにしたことを特徴とする。
【発明の効果】
【００１３】
この発明の固定金具を使用することで、基材が床梁上面から浮いた状態で設置されるスラブパネルであっても、その基材下面を基材受け部によって受け止めるので、押付部によって基材上面を押さえ付けたときに、従来のようにボルト部が引っ張り上げられることがなく、スラブパネルを床梁に確実に安定して固定することができる。
【００１４】
また、基材受け部の受け面に緩衝材を設けることで、例えば基材の厚みに寸法誤差が生じているような場合でも、このような寸法誤差を緩衝材によって吸収して、スラブパネルを精度良く設置することができる。
【発明を実施するための最良の形態】
【００１５】
以下、この発明の実施形態を図面に基づいて詳細に説明する。
【００１６】
図１及び図２は、建物上層階の床材として用いられるスラブパネル(１)を示している。このスラブパネル(１)は、コンクリート基材(２)に補強部材(３)を埋設することによって構成されている。
【００１７】
コンクリート基材(２)は、例えば長さ約２０００ｍｍ、幅約５００ｍｍ、厚さ５０〜７５ｍｍの方形状に形成されており、その気乾比重が例えば１．１〜２．０となっている。コンクリート基材(２)の大きさや形状、気乾比重は、これに限定されるものではなく、各種状況に応じて適宜変更可能である。
【００１８】
そして、このコンクリート基材(２)の短手方向に沿った端部中央には、後述する固定金具(40)(60)を装着するための切欠部(４)(４)が夫々形成されている。この切欠部(４)は、コンクリート基材(２)の上面から下面に跨って形成した断面半円状の縦溝(４ａ)と、この縦溝(４ａ)の上端に連続してコンクリート基材(２)の上面に形成した方形状の横溝(４ｂ)とからなる。
【００１９】
補強部材(３)は、例えばメッシュ鉄筋(５)に一対のハット形鋼(６)(６)を互いに略平行に溶接することによって構成されている。なお、ハット形鋼(６)(６)間の間隔は、例えば約２５０ｍｍに設定されている。
【００２０】
メッシュ鉄筋(５)は、複数の棒鋼を格子状に溶接してなる。ハット形鋼(６)は、互いに平行な一対の側片(10)(10)と、これら側片(10)(10)の長手方向に沿った下端部同士を連結する連結片(11)と、側片(10)(10)の長手方向に沿った上端部から外方へ水平に張り出した一対のフランジ(12)(12)とを備えており、側片(10)(10)及び連結片(11)によってフランジ(12)(12)間に凸部(13)が形成されている。
【００２１】
そして、メッシュ鉄筋(５)の下面側に、一対のハット形鋼(６)(６)のフランジ(12)(12)が溶接されて、それらハット形鋼(６)(６)の開口部分が上向きとなって、凸部(13)(13)が下方向へ張り出した状態となっている。
【００２２】
このようにして構成された補強部材(３)は、パネル引っ張り側に位置するように、コンクリート基材(２)の厚み方向中央よりも下面側すなわち中立軸よりも下側に埋設されている。また、補強部材(３)のうちハット形鋼(６)(６)の凸部(13)(13)の略下半分すなわち側片(10)(10)の下端部側及び連結片(11)が、コンクリート基材(２)の下面から突出している。ハット形鋼(６)(６)は、コンクリート基材(２)の長手方向の略全長に亘って配されており、それら凸部(13)(13)のコンクリート基材(２)の下面から突出した部分が床根太として機能するようになっている。
【００２３】
すなわち、このスラブパネル(１)は、コンクリート基材(２)に補強部材(３)を埋設して、そのハット形鋼(６)(６)の凸部(13)(13)をコンクリート基材(２)の下面から突出させることで、コンクリート基材(２)の下面に一対の床根太を一体的に取り付けた構造となっている。
【００２４】
上記構成のスラブパネル(１)は、図３に示すように、建物上層階に配した互いに平行なＨ形鋼からなる床梁(30)(30)間に跨って設置される。このとき、スラブパネル(１)の一対の床根太を床梁(30)(30)の上面に載置するので、コンクリート基材(２)が床梁(30)(30)上面から浮いた状態となるが、固定金具(40)(60)を用いてスラブパネル(１)を確実に安定した状態で床梁(30)(30)に固定している。
【００２５】
固定金具(40)は、図４乃至図６に示すように、床梁(30)に取り付けられて、スラブパネル(１)のコンクリート基材(２)下面を受ける基材受け部(41)と、この基材受け部(41)から上方へ向けて突出したボルト部(42)と、このボルト部(42)に螺合してコンクリート基材(２)上面を押さえ付ける押付部(43)とを備えている。
【００２６】
基材受け部(41)は、互いに平行な一対の垂直片(45)(45)と、これら垂直片(45)(45)の上端部間を連結する水平片(46)と、垂直片(45)(45)の下端部から外方へ水平に張り出した一対のフランジ片(47)(47)とを備えている。
【００２７】
そして、垂直片(45)(45)の後端部がフランジ(47)(47)よりも下方へ延出されて内方へ水平に折曲され、それら水平部分から略へ字形のフック(48)(48)が前方へ向かって一体に延出されている。なお、垂直片(45)(45)の後端部には、その強度を高めるための膨出部位(45ａ)(45ａ)が形成されている。
【００２８】
これにより、図１０に示すように、基材受け部(41)のフランジ(47)(47)とフック(48)(48)とで床梁(30)の上側フランジ(31)を挟み込むようにして、フック(48)(48)を床梁(30)の上側フランジ(31)に引っ掛けることで、フック(48)(48)の頂部が上側フランジ(31)の下面を押圧して、基材受け部(41)が上側フランジ(31)の上面に強固に取り付けられるようになっている。
【００２９】
また、水平片(46)の上面は、コンクリート基材(２)の下面を受ける受け面(49)とされ、この受け面(49)に、ボルト部(42)の下端が溶接されており、このボルト部(42)を回避するようにして所定の厚みを有する伸縮可能な発泡樹脂材からなる緩衝材(50)(51)が取り付けられている。
【００３０】
押付部(43)は、ボルト部(42)を挿通させた状態でコンクリート基材(２)の上面に当接する当接プレート(55)と、ボルト部(42)に螺合して当接プレート(55)を上方より押し込むナット(56)とを備えている。当接プレート(55)には、その略中央においてボルト挿通孔(57)が形成されており、このボルト挿通孔(57)を挟むようにして、当接プレート(55)の強度を高めるための一対の膨出部位(55ａ)(55ａ)が互いに平行に形成されている。
【００３１】
固定金具(60)は、外壁部(61)に隣接するスラブパネル(１)の端部を床梁(30)に固定するために用いられるもので、外壁部(61)に緩衝しないための配慮がなされている。
【００３２】
すなわち、この固定金具(60)においては、図７に示すように、基材受け部(41)の長さが固定金具(40)の基材受け部(41)の長さよりも短く、その基材受け部(41)の水平片(46)の前端部にボルト部(42)が溶接され、前側の緩衝材(51)は廃止されている。また、押付部(43)の当接プレート(55)の前端部が略Ｌ形に折曲されており、そのコーナー近傍にボルト挿通孔(57)が形成されている。なお、その他の構成は、固定金具(40)と同様である。
【００３３】
次に、上記の固定金具(40)を用いたスラブパネル(１)の固定について説明する。まず、図８に示すように、固定金具(40)の基材受け部(41)を、床梁(30)の上側フランジ(31)に取り付ける。そして、図９に示すように、スラブパネル(１)の切欠部(４)を、固定金具(40)のボルト部(42)に対応させるようにして、スラブパネル(１)の短手方向に沿った一端部を床梁(30)に設置する。このとき、スラブパネル(１)の床根太が床梁(30)の上側フランジ(31)の上面に載置されて、スラブパネル(１)のコンクリート基材(２)下面と上側フランジ(31)上面との間に隙間(70)が生じるが、この隙間(70)に固定金具(40)の基材受け部(41)が介装された状態となり、その基材受け部(41)の受け面(49)によってコンクリート基材(２)下面を緩衝材(50)を介して受ける。
【００３４】
続いて、このスラブパネル(１)の短手方向に沿った一端部に対向するようにして、別のスラブパネル(１)の短手方向に沿った一端部を床梁(30)に設置する。この場合も、別のスラブパネル(１)のコンクリート基材(２)下面と上側フランジ(31)上面との間に生じる隙間(70)に、固定金具(40)の基材受け部(41)が介装されて、その基材受け部(41)の受け面(49)によって別のコンクリート基材(２)下面を緩衝材(51)を介して受ける。
【００３５】
すなわち、図１０に示すように、隣接するスラブパネル(１)(１)のコンクリート基材(２)(２)の下面を、これらに跨る基材受け部(41)の緩衝材(50)(51)上に載置する。このとき、固定金具(40)のボルト部(42)が、スラブパネル(１)(１)の縦溝(４ａ)(４ａ)を合わせてなる筒状部分に挿通されて、その上端部分が、スラブパネル(１)(１)の横溝(４ｂ)(４ｂ)を合わせてなる凹所部分に臨んだ状態となっている。
【００３６】
次に、図１０及び図１１に示すように、当接プレート(55)のボルト挿通孔(57)にボルト部(42)を挿通させた状態で、当接プレート(55)を凹所部分に嵌め込んで、当接プレート(55)を隣接するスラブパネル(１)(１)のコンクリート基材(２)(２)の上面間に跨ってそれらコンクリート基材(２)(２)上面に当接させる。この状態で、ボルト部(42)の上端部分に螺合したナット(56)を締め付けて、当接プレート(55)をコンクリート基材(２)(２)上面に押し付ける。これにより、スラブパネル(１)(１)の短手方向に沿った一端部が床梁(30)に固定される。
【００３７】
そして、スラブパネル(１)の短手方向に沿った他端部も、同様にして床梁(30)に固定する。なお、スラブパネル(１)の短手方向に沿った他端部が、外壁部(61)に隣接する場合には、図１２に示すように、その他端部を固定金具(60)を使用して床梁(30)に固定する。これにより、外壁部(61)の軸組(62)に固定金具(60)を干渉させることなく、スラブパネル(１)の短手方向に沿った他端部を床梁(30)に固定することができる。
【００３８】
このようにして床梁(30)(30)間にスラブパネル(１)(１)…を設置したときに、例えばスラブパネル(１)(１)…のコンクリート基材(２)(２)…の上面が僅かに傾いていたり、コンクリート基材(２)(２)…の厚みに寸法誤差があって、それらコンクリート基材(２)(２)…の上面間に僅かに段差が生じている場合には、各固定金具(40)(60)…におけるナット(56)(56)…の締め付けを調整して、コンクリート基材(２)(２)…の押し込みによる緩衝材(50)(51)…の収縮量を調節することで対応する。
【００３９】
なお、このようにして設置したスラブパネル(１)(１)…のコンクリート基材(２)(２)…の上面には、パーティクルボード及びフロア材が敷設され、外壁部(61)の軸組(62)には、外壁材や内壁材が取り付けられる。
【００４０】
この発明は、上記実施形態に限定されるものではなく、この発明の範囲内で上記実施形態に多くの修正及び変更を加え得ることは勿論である。
【００４１】
例えば、固定金具の押付部としては、当接プレートとナットが一体化した構造のものであっても良い。
【００４２】
また、固定金具の基材受け部は、フックを別体とした構造としても良い。すなわち、図１３及び図１４に示すように、基材受け部(41)を、床梁(30)の上側フランジ(31)に取り付けられるフック(80)と、スラブパネル(１)の基材(２)下面を受ける受け台(81)とから構成しても良い。
【００４３】
フック(80)は、帯板を湾曲させてなり、上側フランジ(31)の上面に当接する当接片(82)と、上側フランジ(31)の下面に当接するフック片(83)とを備えている。そして、当接片(82)に、ボルト部(42)の下端が溶接されている。
【００４４】
受け台(81)は、互いに平行な一対の垂直片(85)(85)と、これら垂直片(85)(85)の上端部間を連結する水平片(86)と、垂直片(85)(85)の下端部から外方へ水平に張り出した一対のフランジ片(87)(87)とを備えている。また、水平片(86)の上面である受け面には、ボルト挿通用孔(88)が形成され、このボルト挿通用孔(88)を回避するようにして緩衝材(50)(51)が取り付けられている。この受け台(81)は、そのボルト挿通用孔(88)へボルト部(42)を挿通させた状態で、フック(80)の当接片(82)の上面に設置されるようになっている。なお、その他の構成は、上記実施形態と同様であり、上記実施形態と同様の機能を有する部材については同符号を付してある。
【図面の簡単な説明】
【００４５】
【図１】この発明の一実施形態に係るスラブパネルの斜視図である。
【図２】スラブパネルの縦断面図である。
【図３】スラブパネルの施工状態を示す図である。
【図４】固定金具の斜視図である。
【図５】固定金具の分解斜視図である。
【図６】固定金具の基材受け部の正面図である。
【図７】他の固定金具の分解斜視図である。
【図８】床梁へ固定金具の基材受け部を取り付けた状態を示す斜視図である。
【図９】スラブパネルの固定途中の状態を示す斜視図である。
【図１０】スラブパネルの固定状態を示す縦断面図である。
【図１１】スラブパネルの固定状態を示す斜視図である。
【図１２】スラブパネルの外壁部に隣接する端部の固定状態を示す縦断面図である。
【図１３】別の実施形態に係る固定金具の基材受け部の分解斜視図である。
【図１４】スラブパネルの固定状態を示す縦断面図である。
【図１５】従来の固定金具を使用したスラブパネルの固定状態を示す縦断面図である。
【符号の説明】
【００４６】
(１)  スラブパネル
(２)  コンクリート基材
(30)  床梁
(31)  上側フランジ
(40)(60)  固定金具
(41)  基材受け部
(42)  ボルト部
(43)  押付部
(48)(80)  フック
(49)  受け面
(50)(51)  緩衝材
(55)  当接プレート
(56)  ナット
(70)  隙間
【図１】
2006124994.tif 000003
【図２】
2006124994.tif 000004
【図３】
2006124994.tif 000005
【図４】
2006124994.tif 000006
【図５】
2006124994.tif 000007
【図６】
2006124994.tif 000008
【図７】
2006124994.tif 000009
【図８】
2006124994.tif 000010
【図９】
2006124994.tif 000011
【図１０】
2006124994.tif 000012
【図１１】
2006124994.tif 000013
【図１２】
2006124994.tif 000014
【図１３】
2006124994.tif 000015
【図１４】
2006124994.tif 000016
【図１５】
2006124994.tif 000017